(57)【要約】  モバイル装置に搭載されたフルバージョンのコンテンツを許容する方法は、（ａ）モバイル装置から前記モバイル装置に搭載され、使用が制限されたフルバージョンコンテンツが使用できるように要請する第１信号の伝送を受ける段階及び（ｂ）前記フルバージョンコンテンツが使用できるようにフルバージョン解除コードを含むフルバージョン許容メッセージを前記モバイル装置に伝送する段階に構成される。従って、フルバージョンコンテンツが搭載されたモバイル装置でモバイル装置の使用者がデモバージョン使用の後、フルバージョンコンテンツ使用を要請する場合にのみフルバージョン使用を許容し、フルバージョン使用を許容した場合にコンテンツ提供業者に対する別途の費用が要請されるようにすることでモバイル装置の製造社がモバイル装置にコンテンツを搭載する場合、コンテンツ提供業者に対する費用を節減することができる。
2010509694.tif 000002
【特許請求の範囲】
【請求項１】
（ａ）モバイル装置から前記モバイル装置に搭載され、使用が制限されたフルバージョン（Ｆｕｌｌ  Ｖｅｒｓｉｏｎ）コンテンツが使用できるように要請する第１信号の伝送を受ける段階と、
（ｂ）前記フルバージョンコンテンツが使用できるようにするフルバージョン解除コード（Ｕｎｌｏｃｋｉｎｇ  Ｃｏｄｅ）を含むフルバージョン許容メッセージを前記モバイル装置に伝送する段階と、を含むことを特徴とするモバイル装置に搭載されたフルバージョンコンテンツを許容する方法。
【請求項２】
（ｃ）前記フルバージョンコンテンツの許容に対する課金を処理する段階をさらに含むことを特徴とする請求項１記載のモバイル装置に搭載されたフルバージョンコンテンツを許容する方法。
【請求項３】
前記段階（ｂ）において、
前記フルバージョン許容メッセージは、短文メッセージ（ＳＭＳ：Ｓｈｏｒｔ  Ｍｅｓｓａｇｅ  Ｓｅｒｖｉｃｅ）形態で伝送されることを特徴とする請求項２記載のモバイル装置に搭載されたフルバージョンコンテンツを許容する方法。
【請求項４】
前記段階（ｃ）において、
前記ＳＭＳに対する課金を通じて実行されることを特徴とする請求項３記載のモバイル装置に搭載されたフルバージョンコンテンツを許容する方法。
【請求項５】
前記フルバージョンコンテンツの許容に対する決済を完了するために必要な前記ＳＭＳが伝送される回数は、前記フルバージョンコンテンツの許容に対する費用に相応する回数ほど分割されて決定されることを特徴とする請求項４記載のモバイル装置に搭載されたフルバージョンコンテンツを許容する方法。
【請求項６】
前記段階（ｃ）は、
クレジットカード決済を通じて実行されることを特徴とする請求項３記載のモバイル装置に搭載されたフルバージョンコンテンツを許容する方法。
【請求項７】
前記クレジットカード決済は、前記ＳＭＳで案内されるインターネットサイトを通じて決済されることを特徴とする請求項６記載のモバイル装置に搭載されたフルバージョンコンテンツを許容する方法。
【請求項８】
前記モバイル装置の使用者の便宜によって使用言語が選択されることを特徴とする請求項２記載のモバイル装置に搭載されたフルバージョンコンテンツを許容する方法。
【請求項９】
（ｄ）前記フルバージョン解除コードに基づいて前記フルバージョンコンテンツの使用を許容する段階をさらに含むことを特徴とする請求項２記載のモバイル装置に搭載されたフルバージョンコンテンツを許容する方法。
【請求項１０】
前記段階（ｄ）において、
前記モバイル装置の使用者から前記フルバージョン解除コードを前記モバイル装置に入力を受けることによって前記フルバージョンコンテンツの使用を許容することを特徴とする請求項９記載のモバイル装置に搭載されたフルバージョンコンテンツを許容する方法。
【請求項１１】
前記使用者が前記フルバージョン解除コードを入力できる回数が制限されることを特徴とする請求項１０記載のモバイル装置に搭載されたフルバージョンコンテンツを許容する方法。
【請求項１２】
（ｅ）前記課金に必要な情報を含む第２信号を生成して伝送する段階をさらに含むことを特徴とする請求項２記載のモバイル装置に搭載されたフルバージョンコンテンツを許容する方法。
【請求項１３】
前記第２信号は、
前記モバイル装置の識別コード、前記第１信号の伝送日時、前記コンテンツの識別コード、前記コンテンツの課金内容及び前記フルバージョン許容メッセージの伝送日時のうち、何れか１つ以上を含むことを特徴とする請求項１２記載のモバイル装置に搭載されたフルバージョンコンテンツを許容する方法。
【請求項１４】
前記第２信号は、
前記モバイル装置、前記モバイル装置の製造社、前記コンテンツの提供業者、及び前記課金を担当するシステムのうち、何れか１つ以上に伝送することを特徴とする請求項１２記載のモバイル装置に搭載されたフルバージョンコンテンツを許容する方法。
【請求項１５】
使用が制限されたフルバージョンコンテンツを搭載し、前記フルバージョンコンテンツが使用できるように要請する第１信号を伝送し、前記フルバージョンコンテンツが使用できるようにするフルバージョン解除コードを含むフルバージョン許容メッセージを受信するモバイル装置と、
前記モバイル装置から前記第１信号の伝送を受けて前記フルバージョン許容メッセージを前記モバイル装置に伝送するフルバージョン許容サーバーと、
前記モバイル装置と前記フルバージョン許容サーバーとの間にデータを送受信するネットワーク通信網と、を含むことを特徴とするモバイル装置に搭載されたフルバージョンコンテンツを許容するシステム。
【請求項１６】
前記フルバージョン許容サーバーは前記フルバージョンコンテンツの許容に対する課金を処理することを特徴とする請求項１５記載のモバイル装置に搭載されたフルバージョンコンテンツを許容するシステム。
【請求項１７】
前記フルバージョン許容メッセージは、ＳＭＳ形態で伝送されることを特徴とする請求項１６記載のモバイル装置に搭載されたフルバージョンコンテンツを許容するシステム。
【請求項１８】
前記モバイル装置は前記モバイル装置の使用者から前記フルバージョン解除コードの入力を受けることによって前記フルバージョンコンテンツの使用を許容することを特徴とする請求項１６記載のモバイル装置に搭載されたフルバージョンコンテンツを許容するシステム。
【請求項１９】
モバイル装置に搭載され、使用が制限されたフルバージョンコンテンツが使用できるように要請する第１信号の伝送を受けて、前記フルバージョンコンテンツが使用できるようにフルバージョン解除コードを含むフルバージョン許容メッセージを伝送するようにする機能を有するフルバージョン許容プログラムを保存するプログラムメモリと、
前記フルバージョン許容プログラムを実行する機能を制御する制御部と、
前記制御部の制御の際に必要な制御データを保存し、前記フルバージョンコンテンツの許容に必要なデータを保存する保存部と、
前記制御部の制御を受けてネットワーク通信網間のデータの送信と受信を担当する送／受信部と、を含むことを特徴とするモバイル装置に搭載されたフルバージョンコンテンツを許容するフルバージョン許容サーバー。
【請求項２０】
前記フルバージョン許容プログラムは、前記フルバージョンコンテンツの許容に対する課金を処理する機能をさらに含むことを特徴とする請求項１９記載のモバイル装置に搭載されたフルバージョンコンテンツを許容するフルバージョン許容サーバー。
【請求項２１】
前記フルバージョン許容メッセージは、ＳＭＳ形態で伝送されることを特徴とする請求項２０記載のモバイル装置に搭載されたフルバージョンコンテンツを許容するフルバージョン許容サーバー。
【請求項２２】
前記フルバージョンコンテンツの許容に対する課金は、前記ＳＭＳに対する課金を通じて処理されることを特徴とする請求項２１記載のモバイル装置に搭載されたフルバージョンコンテンツを許容するフルバージョン許容サーバー。
【請求項２３】
前記フルバージョンコンテンツの許容に対する決済を完了させるために必要な前記ＳＭＳが伝送される回数は、前記フルバージョンコンテンツの許容に対する費用に相応する回数ほど分割されて決定されることを特徴とする請求項２２記載のモバイル装置に搭載されたフルバージョンコンテンツを許容するフルバージョン許容サーバー。
【請求項２４】
前記フルバージョン許容に対する課金は、クレジット決済を通じて処理されることを特徴とする請求項２１記載のモバイル装置に搭載されたフルバージョンコンテンツを許容するフルバージョン許容サーバー。
【請求項２５】
前記クレジットカード決済は、前記ＳＭＳで案内されるインターネットサイトを通じて決済されることを特徴とする請求項２４記載のモバイル装置に搭載されたフルバージョンコンテンツを許容するフルバージョン許容サーバー。
【請求項２６】
前記モバイル装置の使用者の便宜によって選択された使用言語に基づいて前記フルバージョン許容メッセージを伝送することを特徴とする請求項２０記載のモバイル装置に搭載されたフルバージョンコンテンツを許容するフルバージョン許容サーバー。
【請求項２７】
前記フルバージョン許容プログラムは前記フルバージョン許容メッセージに対する応答信号に基づいて前記フルバージョンコンテンツの使用を許容する機能をさらに含むことを特徴とする請求項２０記載のモバイル装置に搭載されたフルバージョンコンテンツを許容するフルバージョン許容サーバー。
【請求項２８】
前記フルバージョン許容メッセージに対する応答信号は、前記モバイル装置の使用者から前記フルバージョン解除コードを前記モバイル装置に入力を受けたことを知らせる信号を含むことを特徴とする請求項２７記載のモバイル装置に搭載されたフルバージョンコンテンツを許容するフルバージョン許容サーバー。
【請求項２９】
前記使用者が前記フルバージョン解除コードを入力できる回数が制限されることを特徴とする請求項２８記載のモバイル装置に搭載されたフルバージョンコンテンツを許容するフルバージョン許容サーバー。
【請求項３０】
前記フルバージョン許容プログラムは、前記課金に必要な情報を含む第２信号を生成して伝送する機能をさらに含むことを特徴とする請求項２０記載のモバイル装置に搭載されたフルバージョンコンテンツを許容するフルバージョン許容サーバー。
【請求項３１】
前記第２信号は、
前記モバイル装置の識別コード、前記第１信号の伝送日時、前記コンテンツの識別コード、前記コンテンツの課金内容及び前記フルバージョン許容メッセージの伝送日時のうち、何れか１つ以上を含むことを特徴とする請求項３０記載のモバイル装置に搭載されたフルバージョンコンテンツを許容するフルバージョン許容サーバー。
【請求項３２】
前記第２信号は、
前記モバイル装置、前記モバイル装置の製造社、前記コンテンツの提供業者、及び前記課金を担当するシステムのうち、何れか１つ以上に伝送することを特徴とする請求項３０記載のモバイル装置に搭載されたフルバージョンコンテンツを許容するフルバージョン許容サーバー。
【請求項３３】
使用が制限されたフルバージョンコンテンツが使用できるように要請する第１信号を伝送し、前記フルバージョンコンテンツが使用できるようにするフルバージョン解除コードを含むフルバージョン許容メッセージを受信するようにする機能を有するフルバージョン管理プログラムを保存するプログラムメモリと、
前記フルバージョン管理プログラムを実行する機能を制御する制御部と、
前記フルバージョンコンテンツを保存し、前記制御部の制御の際に必要な制御データ及び前記フルバージョン許容メッセージを保存する保存部と、
前記制御部の制御を受けてネットワーク通信網間のデータの送信と受信を担当する送／受信部と、
前記第１信号を伝送するためのフルバージョン要請メニューを操作するためのキー入力部と、
前記フルバージョン要請メニューに対する前記キー入力部を通じての入力事項及びフルバージョン許容メッセージを前記制御部の制御を受けて表示する表示部と、を含むことを特徴とするモバイル装置。
【請求項３４】
前記フルバージョン許容メッセージは、ＳＭＳ形態で受信されることを特徴とする請求項３３記載のモバイル装置。
【請求項３５】
前記モバイル装置の使用者の便宜によって使用言語が選択されることを特徴とする請求項３３記載のモバイル装置。
【請求項３６】
前記モバイル装置の使用者から前記フルバージョン解除コードを前記キー入力部を通じて入力を受けることによって前記フルバージョンコンテンツの使用が許容されることを特徴とする請求項３３記載のモバイル装置。
【請求項３７】
前記使用者が前記フルバージョン解除コードを入力できる回数が制限されることを特徴とする請求項３６記載のモバイル装置。
【請求項３８】
（ａ）モバイル装置に搭載され、使用が制限されたフルバージョンコンテンツが使用できるように要請する第１信号を伝送する段階と、
（ｂ）前記フルバージョンコンテンツが使用できるようにするフルバージョン解除コードを含むフルバージョン許容メッセージを受信する段階と、を含むことを特徴とするモバイル装置に搭載されたフルバージョンコンテンツを許容する方法。
【請求項３９】
前記段階（ｂ）において、
前記フルバージョン許容メッセージは、ＳＭＳ形態で受信されることを特徴とする請求項３８記載のモバイル装置に搭載されたフルバージョンコンテンツを許容する方法。
【請求項４０】
（ｃ）前記モバイル装置の使用者から前記フルバージョン解除コードを前記モバイル装置に入力を受けることによって前記フルバージョンコンテンツの使用を許容する段階をさらに含むことを特徴とする請求項３８記載のモバイル装置に搭載されたフルバージョンコンテンツを許容する方法。
【請求項４１】
機械的読み出しが可能な記録媒体と、
前記記録媒体に保存された機械的読み出しが可能なプログラムコードを備え、
前記プログラムコードは、
（ａ）モバイル装置に搭載され使用が制限されたフルバージョンコンテンツが使用できるように要請する第１信号の伝送を受ける段階と、
（ｂ）前記フルバージョンコンテンツが使用できるようにするフルバージョン解除コードを含むフルバージョン許容メッセージを伝送する段階と、を含むことを特徴とするモバイル装置に搭載されたフルバージョンコンテンツを許容するプロセッサー。
【請求項４２】
前記プログラムコードは、
（ｃ）前記フルバージョンコンテンツの許容に対する課金を処理する段階をさらに含むことを特徴とする請求項４１記載のモバイル装置に搭載されたフルバージョンコンテンツを許容するプロセッサー。
【発明の詳細な説明】
【技術分野】
【０００１】
本発明は、モバイル装置に搭載されたフルバージョン（Ｆｕｌｌ  Ｖｅｒｓｉｏｎ）コンテンツを許容する方法及びそのシステムに関する。より詳しくは使用が制限されたフルバージョンのコンテンツが搭載されたモバイル装置において、モバイル装置の使用者がコンテンツのデモバージョン（Ｄｅｍｏ  Ｖｅｒｓｉｏｎ）のみならずフルバージョンまで使用できるようにする方法及びそのシステムに関する。
【背景技術】
【０００２】
従来には、携帯電話、ＰＤＡ（Ｐｅｒｓｏｎａｌ  Ｄｉｇｉｔａｌ  Ａｓｓｉｓｔａｎｃｅ）などのようなモバイル装置にゲームのようなエンターテインメント、金融、学習などに関する多様なコンテンツが搭載されて使用者に提供されてきた。即ち、使用者がモバイル装置を購入するとモバイル装置に基本的に内装されたコンテンツを自由に利用できる。
【０００３】
このようなコンテンツを搭載したモバイル装置を製造する業者は、より発展され、多様なコンテンツを希望するモバイル装置の需要者の購買欲を向上させるために、より良質なコンテンツをモバイル装置に搭載しようとする。
【０００４】
一方、モバイル装置のコンテンツが段々多様で複雑になることによって、モバイル装置製造社がコンテンツを直接開発してモバイル装置に搭載するよりは、別途のコンテンツ提供業者からコンテンツの提供を受けて搭載することが趨勢である。
【０００５】
従って、モバイル装置の製造会社が、別途のコンテンツ提供業者からコンテンツの提供を受けて搭載する場合、コンテンツ提供業者に対する費用がかかり、これはより多様で改善されたコンテンツを搭載するモバイル装置を製造するためには止むを得ずにかかる費用になるという問題点が生じる。
【０００６】
また、モバイル装置に多様で改善されたコンテンツを多く搭載すればするほど、コンテンツ提供業者に対する費用が多くかかるのみでなく、モバイル装置の使用者にとっても不必要なコンテンツが搭載されることがあって、それに伴う不必要な費用増加といった問題点も生じる。
【発明の概要】
【発明が解決しようとする課題】
【０００７】
前述のような問題点を解決するための本発明の目的は、フルバージョンコンテンツが搭載されたモバイル装置でモバイル装置の使用者がデモバージョンの使用後、フルバージョンコンテンツの使用を要請した場合にのみフルバージョン使用を許容し、フルバージョン使用を許容した場合にコンテンツ提供業者に対する別途の費用が請求されるようにすることによって、モバイル装置の製造社がモバイル装置にコンテンツを搭載する場合、コンテンツ提供業者に対する費用を節減することができる方法及びそのシステムを提供することにある。
【０００８】
また、本発明の他の目的は、保安及び管理が効率的にでき、モバイル装置の使用者が容易にフルバージョンコンテンツを使用できるモバイル装置に搭載されたフルバージョンコンテンツを許容する方法及びそのシステムを提供することにある。
【課題を解決するための手段】
【０００９】
前記目的を達成するための本発明の一特徴によると、（ａ）モバイル装置から前記モバイル装置に搭載され、使用が制限されたフルバージョン（Ｆｕｌｌ  Ｖｅｒｓｉｏｎ）コンテンツが使用できるように要請する第１信号の伝送を受ける段階と、（ｂ）前記フルバージョンコンテンツが使用できるようにするフルバージョン解除コード（Ｕｎｌｏｃｋｉｎｇ  Ｃｏｄｅ）を含むフルバージョン許容メッセージを前記モバイル装置に伝送する段階を含むことを特徴とするモバイル装置に搭載されたフルバージョンコンテンツを許容する方法が提供される。
【００１０】
前記目的を達成するための本発明のまた他の特徴によると、使用が制限されたフルバージョンコンテンツを搭載し、前記フルバージョンコンテンツが使用できるように要請する第１信号を伝送し、前記フルバージョンコンテンツが使用されることができるようにするフルバージョン解除コードを含むフルバージョン許容メッセージを受信するモバイル装置と、前記モバイル装置から前記第１信号の伝送を受けて前記フルバージョン許容メッセージを前記モバイル装置に伝送するフルバージョン許容サーバーと、前記モバイル装置と前記フルバージョン許容サーバーとの間にデータを送受信するネットワーク通信網を含むことを特徴とするモバイル装置に搭載されたフルバージョンコンテンツを許容するシステムが提供される。
【００１１】
前記目的を達成するための本発明のまた他の特徴によると、モバイル装置に搭載され、使用が制限されたフルバージョンコンテンツが使用されるように要請する第１信号の伝送を受け、前記フルバージョンコンテンツが使用できるようにするフルバージョン解除コードを含むフルバージョン許容メッセージを伝送するようにする機能を有するフルバージョン許容プログラムを保存するプログラムメモリと、前記フルバージョン許容プログラムを実行する機能を制御する制御部と、前記制御部の制御の際に必要な制御データを保存し、前記フルバージョンコンテンツの許容に必要なデータを保存する保存部と、前記制御部の制御を受けてネットワーク通信網間のデータの送信と受信を担当する送／受信部を含むことを特徴とするモバイル装置に搭載されたフルバージョンコンテンツを許容するフルバージョン許容サーバーが提供される。
【００１２】
前記目的を達成するための本発明のまた他の特徴によると、使用が制限されたフルバージョンコンテンツが使用できるように要請する第１信号を伝送し、前記フルバージョンコンテンツが使用されるようにするフルバージョン解除コードを含むフルバージョン許容メッセージを受信するようにする機能を有するフルバージョン管理プログラムを保存するプログラムメモリと、前記フルバージョン管理プログラムを実行する機能を制御する制御部と、前記フルバージョンコンテンツを保存し、前記制御部の制御の際に必要な制御データ及び前記フルバージョン許容メッセージを保存する保存部と、前記制御部の制御を受けてネットワーク通信網間のデータの送信と受信を担当する送／受信部と、前記第１信号を伝送するためのフルバージョン要請メニューを操作するためのキー入力部と、前記フルバージョン要請メニューに対する前記キー入力部を通じての入力事項及び前記フルバージョン許容メッセージを前記制御部の制御を受けて表示する表示部を含むことを特徴とするモバイル装置が提供される。
【００１３】
前記目的を達成するための本発明のまた他の特徴によると、（ａ）モバイル装置に搭載され、使用が制限されたフルバージョンコンテンツが使用できるように要請する第１信号を伝送する段階と、（ｂ）前記フルバージョンコンテンツが使用できるようにするフルバージョン解除コードを含むフルバージョン許容メッセージを受信する段階を含むことを特徴とするモバイル装置に搭載されたフルバージョンコンテンツを許容する方法が提供される。
【００１４】
前記目的を達成するための本発明のまた他の特徴によると機械的な読み出しが可能な記録媒体と、前記記録媒体に保存され、機械的読み出しが可能なプログラムコードを具備し、前記プログラムコードは（ａ）モバイル装置に搭載され使用が制限されたフルバージョンコンテンツが使用できるように要請する第１信号の伝送を受ける段階と、（ｂ）前記フルバージョンコンテンツが使用できるようにするフルバージョン解除コードを含むフルバージョン許容メッセージを伝送する段階を含むことを特徴とするモバイル装置に搭載されたフルバージョンコンテンツを許容するプロセッサーが提供される。
【図面の簡単な説明】
【００１５】
【図１】本発明の実施例によるモバイル装置に搭載されたフルバージョンコンテンツを許容する方法の手続きを示すフローチャートである。
【図２】本発明の実施例によるモバイル装置で使用者がフルバージョン使用を要請してフルバージョンを使用する過程においてモバイル装置に提供されるインターフェース画面を示す図面である。
【図３】本発明の実施例によるモバイル装置に搭載されたフルバージョンコンテンツを許容する方法の手続きを示すフローチャートである。
【図４】本発明の実施例によるモバイル装置で使用者がクレジットカードを通じてフルバージョン使用に対する支払いをする過程において、モバイル装置に提供されるインターフェース画面を示す図面である。
【図５】本発明の実施例によるモバイル装置に搭載されたフルバージョンコンテンツを許容するシステムの構成を示すブロック図である。
【図６】本発明の実施例によるモバイル装置に搭載されたフルバージョンコンテンツを許容するシステムの構成を示すブロック図である。
【図７】本発明の実施例によるフルバージョン許容サーバーの構成を示すブロック図である。
【図８】本発明の実施例によるモバイル装置の構成を示すブロック図である。
【発明を実施するための形態】
【００１６】
以下、図面を参照しつつ、本発明の表示装置の望ましい実施例をより詳しく説明する。先ず、各図面の構成要素に参照符号を付加することにおいて、同一な構成要素に対しては、もし別の図面上に表示されても可能である限り同一符号を付するようにしていることに有意するべきである。また、本発明の説明において、関連する公知の構成または機能に対する具体的な説明が本発明の旨を不明確にする可能性があると判断される場合にはその詳細な説明は省略する。
【００１７】
図１は、本発明の実施例によるモバイル装置に搭載されたフルバージョンコンテンツを許容する方法の手続きを示すフローチャートである。
【００１８】
本発明によるモバイル装置にはフルバージョンのコンテンツが搭載されている。しかし、搭載されたコンテンツはモバイル装置の使用者がコンテンツのデモバージョンのみを使用することができ、フルバージョンは使用できないように制限されている。即ち、モバイル装置の使用者がコンテンツ全体の機能を使用することができず、コンテンツの説明を見せるかまたは一部のみを使用するようにするデモバージョンのみが使用できる（Ｓ１００）。
【００１９】
ここで、使用者がデモバージョンが使用できる時間またはフルバージョンのうち、使用可能な機能をモバイル装置製造社またはコンテンツ提供業者が適切に制限することができる。
【００２０】
一方、モバイル装置の使用者がデモバージョンのみでなくフルバージョンまで使用することを望む場合、コンテンツのフルバージョン使用を要請することができる（Ｓ１０２）。即ち、使用者はコンテンツのデモバージョンの使用後、コンテンツが気に入った場合にフルバージョンの使用を要請することができる。
【００２１】
ここで、フルバージョン使用の要請はモバイル装置の製造社またはコンテンツ提供業者などのフルバージョン許容サーバーに対してできる。即ち、フルバージョン許容サーバーはモバイル装置の使用者からフルバージョン要請を受けてフルバージョン使用を許容する機能を遂行する。
【００２２】
また、本発明の望ましい実施例によると、モバイル装置の使用者はフルバージョンの要請をモバイル装置を通じて容易にできるが、これは図２を通じて詳しく説明する。
【００２３】
フルバージョン許容サーバーはフルバージョンの要請を受けるとフルバージョン使用を許容する（Ｓ１０４）。
【００２４】
本発明の望ましい実施例によると、フルバージョン使用の許容は短文メッセージ（ＳＭＳ：Ｓｈｏｒｔ  Ｍｅｓｓａｇｅ  Ｓｅｒｖｉｃｅ）を通じて遂行できる。例えば、フルバージョン許容サーバーはフルバージョン許容を知らせるＳＭＳをモバイル装置に伝送でき、このＳＭＳにはフルバージョン使用のためのコードが含まれることもできる。
【００２５】
一方、フルバージョン許容サーバーはフルバージョン要請がある場合、すぐフルバージョンの使用を許容することができるが、別途の確認手続きを通じて許容できることは当然である。また、フルバージョン許容サーバーはフルバージョン使用に対する使用料（Ｂｉｌｌｉｎｇ）と関連してまた別のシステムでフルバージョン許容に対して通知することもできるが、これは図３で詳しく説明する。
【００２６】
フルバージョンの使用が許容されると、モバイル装置の使用者はコンテンツの全ての機能が使用できるフルバージョンまで使用できる（Ｓ１０６）。ただ、説明した例のようにフルバージョン使用のためのコードが必要である場合、使用者はＳＭＳを通じて伝送を受けたコードをモバイル装置に入力することによってフルバージョンを使用できる。
【００２７】
図２は、本発明の実施例によるモバイル装置で使用者がフルバージョン使用を要請してフルバージョンを使用する過程でモバイル装置に提供されるインターフェース画面を示す図面である。
【００２８】
モバイル装置の使用者がモバイル装置に搭載されたコンテンツのうち、特定コンテンツ（ゲーム＃１）を実行するための機能メニューに戻ると、２Ａのようにメニューがディスプレーされる。
【００２９】
使用者が２Ａに示された幾つかのメニューのうち、フルバージョン要請メニューを選択すると、２Ｂのように確認メッセージがディスプレーされる。
【００３０】
使用者がフルバージョン要請を確認すると、２Ｃのように国家選択メニューがディスプレーされる。国家選択メニューは基本的にモバイル装置使用者の便宜のための言語選択などを遂行するためのメニューである。しかし、言語選択以外にも、国家別に課金体系が異なる場合に適用されるメニューにすることもできる。
【００３１】
また、例えば、ベルギーのように使用言語が２つ以上である国家の場合には該当する国家内で２つ以上の言語を選択することができるように具現することもできる。
【００３２】
使用者が望む国家を選択すると、２Ｄのように使用者が選択したコンテンツの許容要請に対する情報が再確認メッセージとともにディスプレーされる。例えば、ゲームのタイトル、申請価格、国家などディスプレーされることができる。
【００３３】
使用者がフルバージョン要請を最終確認すると、２Ｅのようにフルバージョン要請が正常的に登録されたことを知らせるメッセージがディスプレーされ、使用者のモバイル装置にＳＭＳが伝送される。
【００３４】
伝送されたＳＭＳにはフルバージョン使用のためのコードが含まれることができる。即ち、使用者がＳＭＳに含まれたコードをモバイル装置に入力することでフルバージョンコンテンツを使用することができるようにし、フルバージョン許容に対する保安を強化することができる。フルバージョン使用のためのコードは２Ｆでのように６桁の暗証番号の形態にすることができるが、その他にも様々な形態にすることができる。
【００３５】
また、使用者がコードを入力できる回数は制限することができる。例えば、３回以上コードの入力エラーが発生する場合、警告メッセージがディスプレーされるか、または１０回以上の入力エラー発生の際、フルバージョン要請に厳格な制限を加えるなど、フルバージョン要請の盗用または濫用を防ぐことができる。
【００３６】
使用者がＳＭＳなどを通じて伝送されたコードを正しく入力した場合、２Ｆでのように、フルバージョンを実行できるメニューがディスプレーされて使用者はその後、続いてコンテンツのフルバージョンを使用することができるようになる。
【００３７】
図２においては、使用者がモバイル装置のメニューを選択することによって、フルバージョン使用を要請する場合を示したが、デモバージョンの一定時間または一定段階の経過後に自動的にデモバージョンの実行が止まり、フルバージョン使用を要請するメニューがディスプレーされるように構成することもできる。また、短縮番号または短縮キーを通じてフルバージョン使用を要請するように具現することもできる。
【００３８】
また、図２においては、フルバージョン使用コードがＳＭＳを通じて伝達される場合を示したが、電子メールを通じて伝達されることもでき、その他の多様な形態のメッセージ伝送手段を通じて伝達することができるのは当業者には自明であるため詳しい説明は省略する。
【００３９】
図３は、本発明の実施例によるモバイル装置に搭載されたフルバージョンコンテンツを許容する方法のまた別の手続きを示すフローチャートである。特に、図３はフルバージョン許容に対する課金が適用される場合を示す。
【００４０】
図３を参照すると、本発明の実施例によるモバイル装置に搭載されたフルバージョンコンテンツを許容する方法は基本的に図１で説明した手続きと類似である。ただ、図１で説明した手続き以外にフルバージョン許容を通知する段階（Ｓ３０６）がさらに追加された。
【００４１】
図１においては、フルバージョン使用の要請及び許容が１つのフルバージョン許容サーバー内のみで行われる場合を示したが、図３においてはフルバージョン使用に対する課金と関連して他のシステムが接続される場合を示す。
【００４２】
即ち、図１においては、フルバージョン許容の際にモバイル装置使用者に料金が請求される場合であれば、フルバージョン許容サーバーと使用者間の課金（両者間課金）のみが適用される場合を示すが、図２においてはフルバージョン許容サーバー以外に他のシステムとの他者間課金がなされる場合を示す。
【００４３】
例えて説明をすると下記のようである
【００４４】
図１で説明した手続きによると、フルバージョン許容サーバーがコンテンツ提供業者側のサーバーである場合として、フルバージョン許容の際に使用者に料金が請求される場合であれば、フルバージョン許容サーバー内のみで課金に必要な情報が処理される必要がある。
【００４５】
しかし、モバイル装置使用者とコンテンツ提供業者間の両者間課金のみでなく、モバイル装置製造社にまで関連した他者間課金システムにおいては、互いにフルバージョン許容に対する情報を授受する必要がある。即ち、モバイル装置使用者がフルバージョン要請をする場合のみ、モバイル装置製造社がコンテンツ提供業者に別途のコンテンツ費用を支払うことにする場合、モバイル装置製造社側においてもフルバージョン許容に対する情報の提供を受ける必要があるためである。
【００４６】
また、フルバージョン許容に対する課金処理に対してモバイル装置製造社とコンテンツ提供業者を仲介する第３の仲介システムが構成されることもあるが、この場合にも上記のような他者間課金のための他システムへのフルバージョン許容通知段階（Ｓ３０６）が必要になる。
【００４７】
また、ＳＭＳ課金システムのような別途の課金システムが係った場合でも同様にフルバージョン許容通知段階（Ｓ３０６）が必要になる。
【００４８】
このように、フルバージョン許容に対する課金において、２つ以上の理解関係（業者）が複合された場合には互いにフルバージョン許容に対する情報（例えば、モバイル装置の識別コード、フルバージョン許容日時、該当コンテンツの識別コード、価格、決済方法、コードなどに対するデータなど）を共有する必要がある。
【００４９】
図３においては、他システムへのフルバージョン許容通知段階（Ｓ３０６）がフルバージョン使用許容段階（Ｓ３０４）と並列的に構成されているが、段階（Ｓ３０６）は、段階（Ｓ３０４）より先に実行されるかまたは後に実行されることもできる。
【００５０】
一方、本発明の実施例によるモバイル装置に搭載されたフルバージョンを許容する方法において、フルバージョン許容と関連する課金に対して説明すると下記のようである。
【００５１】
モバイル装置の使用者がフルバージョン使用を要請するとモバイル装置の使用者に料金を請求する場合を仮定すると、ＳＭＳを通じてフルバージョン許容が遂行される場合にはＳＭＳ使用料をモバイル装置の使用者に請求することで課金が行われる。例えば、フルバージョン使用料が１ＵＳドルであるとすると、ＳＭＳ使用料として１ＵＳドルが計上されて使用者に請求するようにすることができる。
【００５２】
また、もしＳＭＳ使用料が使用件数によって算定される場合には該当フルバージョン使用料分をフルバージョン許容に必要なＳＭＳ使用件数を調節することもできる。例えば、フルバージョンの使用料が１．５ＵＳドルで、ＳＭＳ使用料が１件当たり０．５ＵＳドルであるとすると、３件のＳＭＳ使用を通じて課金が行われるようにすることができる。
【００５３】
また、フルバージョン使用に対する支払いをＳＭＳ使用料のようなサービス利用料または通信料金に含ませる代わりに、クレジットカードを通じても支払いができるようにすることができるが、これに関しては図４で説明する。
【００５４】
一方、本発明の実施例によるモバイル装置に搭載されたフルバージョンコンテンツを許容する方法で課金、特に他者間課金に関するシステム間のメッセージフォーマットに対して説明すると下記のようである。
【００５５】
例えば、モバイル装置使用者または他システムでフルバージョン許容に対する情報が「ＭＢＩＺ，ＭＺＴＳＯＮＤ９００ＥＵ，２，ＵＫ，５４５６７８」のようなフォーマットでＳＭＳなどを通じて通知されることができる。ここで、「ＭＢＩＺ」はフルバージョン許容サーバーまたは仲介システムを、「ＭＺＴＳＯＮＤ９００ＥＵ」は該当コンテンツを識別する記号である。「２」は課金に必要なＳＭＳ使用回数が２であることを示し、「ＵＫ」は該当国家がイギリス（Ｕｎｉｔｅｄ  Ｋｉｎｇｄｏｍ）であることを示す。最後に、「５４５６７８」はフルバージョン使用のためのコードを示す。
【００５６】
この他にも、フルバージョン許容と関連したシステム間のメッセージまたはデータフォーマットは非常に多様に表現できるため、詳しい説明は省略する。
【００５７】
図４は、本発明の実施例によるモバイル装置で使用者がクレジットカードを通じてフルバージョン使用に対する支払いをする過程において、モバイル装置に提供されるインターフェース画面を示す図面である。
【００５８】
モバイル装置使用者がフルバージョン要請メニューを選択すると、またはデモバージョン使用の際に自動的に、４Ａのようにクレジットカードを利用して決済できる画面がディスプレーされる。
【００５９】
使用者がクレジットカードでの購買を選択すると、クレジットカードでの購買に対する情報がフルバージョン許容サーバーに伝送される。クレジットカードでの購買に対する情報は課金に必要な情報として、フルバージョン許容サーバー以外にもモバイル装置製造社、コンテンツ提供業者、または別途の課金システムなどに伝送されることができ、ＳＭＳ形態で伝送されることもできる。
【００６０】
例えば、使用者がクレジットカードでの購買を選択すると、フルバージョン許容サーバーまたは他システムにフルバージョン使用のためのコードが保存され、この後、使用者がクレジットカードでの購買を完了すると保存されたコードが使用者に伝達されるように構成することもできる。
【００６１】
クレジットカード決済の申請が正常的に受け付けられると、４Ｂのようにクレジットカード決済ができるインターネットサイトのアドレスを案内する画面がディスプレーされる。
【００６２】
使用者が４Ｂのように案内されたインターネットサイトに接続してモバイル装置の固有番号などでログインした後、クレジットカードでフルバージョン使用に対する決済を終えると、フルバージョン使用のためのコードが知らされる。勿論、図２でのようにＳＭＳを通じてコードが伝達されることもできる。インターネットサイトにおいてのクレジットカード決済の方法は当業者には広く知られているため、詳しい説明は省略する。
【００６３】
図５は、本発明の実施例によるモバイル装置に搭載されたフルバージョンを許容するシステムの構成を示すブロック図である。
【００６４】
図５を参照すると、本発明の実施例によるモバイル装置に搭載されたフルバージョンコンテンツを許容するシステム５００はモバイル装置５０２、ネットワーク通信網５０４、及びフルバージョン許容サーバー５０６を含む。
【００６５】
本発明の実施例によるモバイル装置５０２はフルバージョン許容サーバー５０６にフルバージョン使用を要請する機能を遂行し、フルバージョン許容サーバー５０６からフルバージョン使用が許容される場合、モバイル装置５０２に搭載されたフルバージョンのコンテンツを使用できるように構成される。
【００６６】
ここで、モバイル装置５０２はフルバージョン許容サーバー５０６からフルバージョン使用が許容された場合、すぐフルバージョンのコンテンツが実行されるように構成することもできるが、図２で説明したようにＳＭＳを通じて使用者からコードの入力を受けた場合にのみフルバージョンのコンテンツが実行できるように構成されることもできる
【００６７】
一方、本発明の実施例によるモバイル装置５０２のより詳しい構成は図８で説明する。
【００６８】
本発明の実施例によるフルバージョン許容サーバー５０６はモバイル装置５０２からフルバージョン使用の要請を受けてモバイル装置５０２内に搭載されたフルバージョンのコンテンツが使用できるように許容する機能を遂行する。
【００６９】
ここで、フルバージョン許容サーバー５０６は、モバイル装置５０２からフルバージョン要請があった場合、すぐフルバージョン使用を許容することもできるが、別途の確認手続きを通じて許容することもできる。また、図２で説明したようにＳＭＳを通じてフルバージョン使用のためのコードをモバイル装置５０２に伝送することによって、フルバージョンのコンテンツが使用できるようにすることもある。即ち、フルバージョン許容サーバー５０６は、フルバージョン使用に必要な暗証コードを生成することができるが、暗証コードはモバイル装置の使用者がデモバージョンを最初に実行すると自動的に生成されるようにするなど、多様な方式で生成されることができる。
【００７０】
また、本発明の実施例によるフルバージョン許容サーバー５０６はフルバージョン許容と関連した課金機能を含むことができる。ただ、多者間の課金と関連した機能は図６で説明する。
【００７１】
一方、本発明の実施例によるフルバージョン許容サーバー５０６のより詳しい構成は図７で説明する。
【００７２】
本発明の実施例によるネットワーク通信網５０４はモバイル装置５０２及びフルバージョン許容サーバー５０６を接続してデータを送受信できるようにする接続経路を提供し、有線または無線で具現することができる。
【００７３】
本発明の実施例によるネットワーク通信網５０４は無線接続網及びパケットデータ網を含むＣＤＭＡ２０００  １ＸシステムまたはＣＤＭＡ２０００  １ｘＥＶ−ＤＯシステムなどの移動通信網で具現できるが、有線を始めに電話機、モデム、インターネットなどのデータ接続手段としての具現方法は非常に多様に表現でき、これらの構成は当業者に広く知られているため詳しい説明は省略する。
【００７４】
図６は、本発明の実施例によるモバイル装置に搭載されたフルバージョンコンテンツを許容するシステムのまた別の構成を示すブロック図である。
【００７５】
図６を参照すると、本発明の実施例によるモバイル装置に搭載されたフルバージョンコンテンツを許容するシステム６００はモバイル装置６０２、ネットワーク通信網６０４、フルバージョン許容サーバー６０６、及び第３システム６０８を含む。
【００７６】
本発明の実施例によるモバイル装置に搭載されたフルバージョンコンテンツを許容するシステム６００は基本的に図５で説明したシステム５００の構成と類似である。ただ、図３で説明した多者間課金と関連して第３システム６０８が追加に含まれる場合を示す。
【００７７】
本発明の実施例による第３システム６０８はモバイル装置製造社６１０、コンテンツ提供業者６１２、及び課金システム６１４などを含む。
【００７８】
図３で説明したにようにフルバージョン許容に対する課金において２つ以上の理解関係（業者）が複合された場合には互いにフルバージョン許容に対する情報を共有する必要があるが、図６ではフルバージョン許容サーバー６０６が一種の仲介システムとしてモバイル装置製造社６１０、コンテンツ提供業者６１２、及び課金システム６１４を仲介する場合を示す。
【００７９】
即ち、フルバージョン許容サーバー６０６は図５においてのフルバージョン許容サーバー５０６の機能以外に第３システム６０８に対してフルバージョン許容に対する情報を送／受信（中継）する機能も遂行する。
【００８０】
課金システム６１４はフルバージョン許容と関連した課金を処理する機能を遂行する。例えば、ＳＭＳ伝送費用のようにフルバージョン許容過程で発生するサービス費用またはモバイル装置製造社６１０及びコンテンツ提供業者６１２がフルバージョン許容サーバー６０６のような仲介システムを利用する費用などを管理することができる。
【００８１】
一方、図６においては課金システム６１４が第３システム６０８内部に含まれることと示されているが、課金システム６１４はＳＭＳＣ（Ｓｈｏｒｔ  Ｍｅｓｓａｇｅ  Ｓｅｒｖｉｃｅ  Ｃｅｎｔｅｒ）のようにネットワーク通信網６０４内部に含まれるかまたはフルバージョン許容サーバー６０６の内部に含まれることもできる。
【００８２】
また、図６でのようにフルバージョン許容サーバー６０６が第３システム６０８と独立的に構成されず、モバイル装置製造社６１０またはコンテンツ提供業者６１２の内部に含まれて構成されることもできる。
【００８３】
図７は本発明の実施例によるフルバージョン許容サーバーの構成を示すブロック図である。
【００８４】
図７を参照すると、本発明の実施例によるフルバージョン許容サーバー７００はプログラムメモリ７０２、制御部７０４、保存部７０６、及び送／受信部７０８を含む。
【００８５】
プログラムメモリ７０２はモバイル装置からフルバージョン要請信号を受信し、フルバージョン許容信号を伝送するようにする機能を有するフルバージョン許容プログラムを保存する。フルバージョン許容プログラムはフルバージョン許容に対する別途の確認手続きを遂行する機能またはフルバージョン許容に対する課金を処理する機能を含むこともでき、図６で説明したように第３システム６０８と連動してフルバージョン許容を仲介する機能を含むこともできる。
【００８６】
制御部７０４はフルバージョン許容プログラムを実行する機能を制御する。保存部７０６は制御部７０４の制御の際に必要な制御データを保存し、フルバージョン許容と関連した情報を保存する。
【００８７】
送／受信部７０８は制御部７０４の制御を受けてネットワーク通信網間のデータの送信と受信を担当する。
【００８８】
図８は、本発明の実施例によるモバイル装置の構成を示すブロック図である。
【００８９】
本発明の実施例によるモバイル装置８００はＰＤＡ（Ｐｅｒｓｏｎａｌ  Ｄｉｇｉｔａｌ  Ａｓｓｉｓｔａｎｔ）、セルラー携帯電話、ＰＣＳ（Ｐｅｒｓｏｎａｌ  Ｃｏｍｍｕｎｉｃａｔｉｏｎ  Ｓｅｒｖｉｃｅ）、ＧＳＭ（Ｇｌｏｂａｌ  Ｓｙｓｔｅｍ  ｆｏｒ  Ｍｏｂｉｌｅ）、Ｗ−ＣＤＭＡ（Ｗｉｄｅｂａｎｄ  ＣＤＭＡ）電話、ＣＤＭＡ−２０００、ＭＢＳ（Ｍｏｂｉｌｅ  Ｂｒｏａｄｂａｎｄ  Ｓｙｓｔｅｍ）などの無線移動通信装置を含む概念である。
【００９０】
図８を参照すると、本発明の実施例によるモバイル装置８００はプログラムメモリ８０２、制御部８０４、保存部８０６、送／受信部８０８、表示部８１０、及びキー入力部８１２を含む。
【００９１】
プログラムメモリ８０２はフルバージョン要請信号をフルバージョン許容サーバーに伝送し、フルバージョン許容サーバーからフルバージョン許容信号を受信してコンテンツのフルバージョンが実行されるようにする機能を有するフルバージョン活性化プログラムを保存する。フルバージョン活性化プログラムはフルバージョン許容の前には保存部８０６に保存されたフルバージョンのコンテンツのうち、デモバージョンのみ実行されることができ、フルバージョン許容の後にはフルバージョンまで実行されることができる。また、図２で説明したように国家選択、フルバージョン許容コードの確認などの機能を含むこともできる。
【００９２】
制御部８０４はフルバージョン活性化プログラムを実行する機能を制御する。保存部８０６は、フルバージョンのコンテンツを保存し、制御部８０４の制御の際に必要な制御データ及びフルバージョン許容と関連した情報を保存する。
【００９３】
送／受信部８０８は制御部８０４の制御を受けてネットワーク通信網間のデータの送信と受信を担当する。
【００９４】
一方、モバイル装置８００の使用者はキー入力部８１２を利用してフルバージョン使用を要請することができ、フルバージョン許容コードを入力することもできる。
【００９５】
表示部８１０は制御部８０４の制御を受けて図２でのようにフルバージョン許容過程で必要なメニュー画面をディスプレーする。
【００９６】
以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【産業上の利用可能性】
【００９７】
前述のようなモバイル装置に搭載されたフルバージョンコンテンツを許容する方法及びそのシステムによると、フルバージョンコンテンツが搭載されたモバイル装置でモバイル装置の使用者がデモバージョンを使用した後、フルバージョンコンテンツの使用を要請する場合にのみフルバージョン使用を許容し、フルバージョン使用を許容した場合にコンテンツ提供業者に対する別途の費用が請求されるようにすることで、モバイル装置の製造社がモバイル装置にコンテンツを搭載する場合、コンテンツ提供業者に対する費用を節減できる効果がある。
【００９８】
また、使用者の便宜によって国家の選択が可能になり、ＳＭＳを通じてフルバージョンの許容を受けることによって、モバイル装置の使用者が容易にフルバージョンコンテンツを使用することができるようにする効果がある。
【００９９】
また、フルバージョンの許容に対してコード認証手続きを適用するかまたは他システムとの課金に対する仲介を可能にすることによって、フルバージョンの許容に対する保安及び管理を効率的にすることができる。
【符号の説明】
【０１００】
５００，６００  フルバージョンコンテンツを許容するシステム
５０２，６０２，８００  モバイル装置
５０４，６０４  ネットワーク通信網
５０６，６０６  フルバージョン許容サーバー
６０８  第３システム
６１０  モバイル装置製造社
６１２  コンテンツ提供業者
６１４  課金システム
７００  フルバージョン許容サーバー
７０２，８０２  プログラムメモリ
７０４，８０４  制御部
７０６，８０６  保存部
７０８，８０８  送／受信部
８１０  表示部
８１２  キー入力部
【図１】
2010509694.tif 000003
【図２】
2010509694.tif 000004
【図３】
2010509694.tif 000005
【図４】
2010509694.tif 000006
【図５】
2010509694.tif 000007
【図６】
2010509694.tif 000008
【図７】
2010509694.tif 000009
【図８】
2010509694.tif 000010
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
モバイル装置に搭載され、使用が制限されたフルバージョンコンテンツが使用できるように要請する第１信号の伝送を受けて、前記フルバージョンコンテンツが使用できるようにフルバージョン解除コードを含むフルバージョン許容メッセージを伝送するようにする機能を有するフルバージョン許容プログラムを保存するプログラムメモリと、
前記フルバージョン許容プログラムを実行する機能を制御する制御部と、
前記制御部の制御の際に必要な制御データを保存し、前記フルバージョンコンテンツの許容に必要なデータを保存する保存部と、
前記制御部の制御を受けてネットワーク通信網間のデータの送信と受信を担当する送／受信部と、を含み、
前記フルバージョン許容プログラムは、前記フルバージョンコンテンツの許容に対する課金を処理する機能をさらに含み、前記フルバージョン許容メッセージは短文メッセージ（ＳＭＳ：Ｓｈｏｒｔ  Ｍｅｓｓａｇｅ  Ｓｅｒｖｉｃｅ）形態で伝送され、前記フルバージョンコンテンツの許容に対する課金は前記ＳＭＳに対する課金を通じて処理され、前記フルバージョンコンテンツの許容に対する決済を完了させるために必要な前記ＳＭＳが伝送される回数は、前記フルバージョンコンテンツの許容に対する費用に相応する回数ほど分割して決定されることを特徴とするモバイル装置に搭載されたフルバージョンコンテンツを許容するフルバージョン許容サーバー。
【請求項２】
前記モバイル装置の使用者の便宜によって選択された使用言語に基づいて前記フルバージョン許容メッセージを伝送することを特徴とする請求項１記載のモバイル装置に搭載されたフルバージョンコンテンツを許容するフルバージョン許容サーバー。
【請求項３】
前記フルバージョン許容プログラムは前記フルバージョン許容メッセージに対する応答信号に基づいて前記フルバージョンコンテンツの使用を許容する機能をさらに含むことを特徴とする請求項１記載のモバイル装置に搭載されたフルバージョンコンテンツを許容するフルバージョン許容サーバー。
【請求項４】
前記フルバージョン許容メッセージに対する応答信号は、前記モバイル装置の使用者から前記フルバージョン解除コードを前記モバイル装置に入力を受けたことを知らせる信号を含むことを特徴とする請求項３記載のモバイル装置に搭載されたフルバージョンコンテンツを許容するフルバージョン許容サーバー。
【請求項５】
前記使用者が前記フルバージョン解除コードを入力できる回数が制限されることを特徴とする請求項４記載のモバイル装置に搭載されたフルバージョンコンテンツを許容するフルバージョン許容サーバー。
【請求項６】
前記フルバージョン許容プログラムは、前記課金に必要な情報を含む第２信号を生成して伝送する機能をさらに含むことを特徴とする請求項１記載のモバイル装置に搭載されたフルバージョンコンテンツを許容するフルバージョン許容サーバー。
【請求項７】
前記第２信号は、
前記モバイル装置の識別コード、フルバージョン許容日時、該当コンテンツの識別コード、価格、決済方法、暗証のうち、何れか１つ以上を含むことを特徴とする請求項６記載のモバイル装置に搭載されたフルバージョンコンテンツを許容するフルバージョン許容サーバー。
【請求項８】
前記第２信号は、
前記モバイル装置、前記モバイル装置の製造社、前記コンテンツの提供業者、及び前記課金を担当するシステムのうち、何れか１つ以上に伝送することを特徴とする請求項６記載のモバイル装置に搭載されたフルバージョンコンテンツを許容するフルバージョン許容サーバー。
【請求項９】
使用が制限されたフルバージョンコンテンツが使用できるように要請する第１信号を伝送し、前記フルバージョンコンテンツが使用できるようにするフルバージョン解除コードを含むフルバージョン許容メッセージを受信するようにする機能を有するフルバージョン許容プログラムを保存するプログラムメモリと、
前記フルバージョン許容プログラムを実行する機能を制御する制御部と、
前記フルバージョンコンテンツを保存し、前記制御部の制御の際に必要な制御データ及び前記フルバージョン許容メッセージを保存する保存部と、
前記制御部の制御を受けてネットワーク通信網間のデータの送信と受信を担当する送／受信部と、
前記第１信号を伝送するためのフルバージョン要請メニューを操作するためのキー入力部と、
前記フルバージョン要請メニューに対する前記キー入力部を通じての入力事項及びフルバージョン許容メッセージを前記制御部の制御を受けて表示する表示部と、を含み、
前記フルバージョン許容プログラムは、前記フルバージョンコンテンツの許容に対する課金を処理する機能をさらに含み、前記フルバージョン許容メッセージは、短文メッセージ（ＳＭＳ：Ｓｈｏｒｔ  Ｍｅｓｓａｇｅ  Ｓｅｒｖｉｃｅ）形態で伝送され、前記フルバージョンコンテンツの許容に対する課金は前記ＳＭＳに対する課金を通じて処理され、前記フルバージョンコンテンツの許容に対する決済を完了させるために必要な前記ＳＭＳが伝送される回数は、前記フルバージョンコンテンツの許容に対する費用に相応する回数ほど分割して決定されることを特徴とするモバイル装置。
【請求項１０】
前記モバイル装置の使用者の便宜によって使用言語が選択されることを特徴とする請求項９記載のモバイル装置。
【請求項１１】
前記モバイル装置の使用者から前記フルバージョン解除コードを前記キー入力部を通じて入力を受けることによって前記フルバージョンコンテンツの使用が許容されることを特徴とする請求項９記載のモバイル装置。
【請求項１２】
前記使用者が前記フルバージョン解除コードを入力できる回数が制限されることを特徴とする請求項１１記載のモバイル装置。
【請求項１３】
ネットワーク通信網を経由してフルバージョン許容サーバーに接続されたモバイル装置に搭載されたフルバージョンコンテンツを許容する方法において、
（ａ）前記モバイル装置は前記モバイル装置に搭載され、使用が制限されたフルバージョンコンテンツが使用できるように要請する第１信号を前記ネットワーク通信網を経由して前記フルバージョン許容サーバーに伝送する段階と、
（ｂ）前記モバイル装置は前記ネットワーク通信網を経由して前記フルバージョン許容サーバーから前記フルバージョンコンテンツが使用できるようにするフルバージョン解除コードを含むフルバージョン許容メッセージを受信する段階と、を含み、
前記フルバージョン許容メッセージは、短文メッセージ（ＳＭＳ：Ｓｈｏｒｔ  Ｍｅｓｓａｇｅ  Ｓｅｒｖｉｃｅ）形態で伝送され、前記フルバージョンコンテンツの許容に対する課金は前記ＳＭＳに対する課金を通じて処理され、前記フルバージョンコンテンツの許容に対する決済を完了するために必要な前記ＳＭＳが伝送される回数は、前記フルバージョンコンテンツの許容に対する費用に相応する回数ほど分割して決定されることを特徴とするモバイル装置に搭載されたフルバージョンコンテンツを許容する方法。
【請求項１４】
（ｃ）前記モバイル装置の使用者から前記フルバージョン解除コードを前記モバイル装置に入力を受けることによって前記フルバージョンコンテンツの使用を許容する段階をさらに含むことを特徴とする請求項１３記載のモバイル装置に搭載されたフルバージョンコンテンツを許容する方法。
【国際調査報告】
2010509694.tif 000011
2010509694.tif 000012